(57)【要約】 【課題】鋏使用者の好みや使い方に合わせて指環部の刀体柄部における装着角度の調整を、非常に簡単な構造で実現する。【解決手段】端部に指環部を備えた一対の刀体１，１ａをＸ状に交叉させ、両刀体を貫通する枢結ボルト及び締付ナットで交叉部を枢結してなる理容鋏に於いて、一方の指環部を、柄部４に設けた球状連結部４１を覆うような球状関節構造で連結して任意角度に傾斜可能とした可動指環部５に形成すると共に、球状連結部の表面に露出する抵抗体４３を内装して可動指環部５の可動抵抗としてなる。【選択図】図１
2012223405.tif 000002
【特許請求の範囲】
【請求項１】
端部に指環部を備えた一対の刀体をＸ状に交叉させ、両刀体を貫通する枢結ボルト及び締付ナットで交叉部を枢結してなる理容鋏に於いて、一方の指環部を刀体から分離して形成すると共に、指環部を分離した柄部における指環連結部位に球状連結部を設けると共に、前記連結部の適宜個所に穴部を穿設し、前記穴部に抵抗体を内置し、前記分離指環部の連結部位に前記球状連結部を包みこむ球底凹部を形成して、抵抗体を圧するように連結部に球底凹部を被冠すると共に、球底凹部の開口側を窄め、分離指環部を前記抵抗体との摩擦抵抗に抗して可動するように装着してなることを特徴とする理容鋏の製造方法。
【請求項２】
端部に指環部を備えた一対の刀体をＸ状に交叉させ、両刀体を貫通する枢結ボルト及び締付ナットで交叉部を枢結してなる理容鋏に於いて、一方の指環部を、柄部に設けた球状連結部を覆うような球状関節構造で連結して任意角度に傾斜可能とした可動指環部に形成すると共に、球状連結部の表面に露出する抵抗体を内装して可動指環部の可動抵抗としてなることを特徴とする理容鋏。
【発明の詳細な説明】
【技術分野】
【０００１】
本発明は、理容鋏に関するものである。
【背景技術】
【０００２】
理容鋏の基本的構成は、周知のとおり一対の刀体をＸ状に交叉させ、両刀体を貫通する軸孔を穿設し、該軸孔に挿通した枢結軸で交叉部を枢結してなるものである。操作部分は通常指環構造となっており、刀体と一体に形成されている。
【０００３】
ところで理容鋏においては、鋏使用者の好みや使い方に合わせて指環部の刀体柄部に対する位置（枢結軸からの遠近距離位置・他方指環部との相対的位置）や、角度（柄部に対して直交する軸を中心とした回動方向）の調整を可能としたり、更には指環部の傾斜回動を可動とする構造が、従前より提案されている。
【０００４】
例えば特許文献１（実開平２−４３９７０号公報）には、同一平面上に配置される親指用指輪部と薬指用指輪部では使い難いとして、親指用指環部の連結柄部に長孔を設けると共に、前記長孔を貫通する係着ボルトで親指用指環部を止着しているもので、長孔によって係着ボルトの位置調整を行い、係着ボルトを軸にして所望の角度まで回動させて、当該位置で固定するようにしている。
【０００５】
また特許文献２（実開平２−２５９６８号公報）には、前記の長孔に替えて細溝で連結した軸孔を設けて、指環部の位置調整と角度調整を行うようにしている。
【０００６】
更に特許文献３（実開平１−１７８８７７号公報）には、起伏による位置調整用の回動体と、回動体に角度調整用に回動自在としたＵ状保持アームとを備え、前記のＵ状保持アームに指環部を傾斜（柄部に対して直交する軸からの傾斜）自在に枢着して、指環部の位置調整と角度調整と傾斜調整を行うようにしている。
【先行技術文献】
【特許文献】
【０００７】
【特許文献１】実開平２−４３９７０号公報。
【特許文献２】実開平２−２５９６８号公報。
【特許文献３】実開平１−１７８８７７号公報。
【発明の概要】
【発明が解決しようとする課題】
【０００８】
指輪部の位置調整や角度調整を行う手段は、前記特許文献１，２に開示されているが、いずれも移動及び回動の調整には、係着ボルトの操作が必要であり、使用中に位置や角度を変更する調整は煩瑣な作業となる。而も前記文献に開示されている構造は傾斜調整ができない。
【０００９】
また特許文献３に開示されている構造は、位置調整及び角度調整の他に傾斜調整も可能であるが、回動軸構造を三軸方向に設ける必要があり、製造が面倒である。
【００１０】
そこで本発明は、非常に簡単な構造で、使用中であっても角度調整、傾斜調整が簡単に行うことができ、且つ位置微調整も可能な新規な理容鋏を提案したものである。
【課題を解決するための手段】
【００１１】
本発明に係る理容鋏の製造方法は、  端部に指環部を備えた一対の刀体をＸ状に交叉させ、両刀体を貫通する枢結ボルト及び締付ナットで交叉部を枢結してなる理容鋏に於いて、一方の指環部を刀体から分離して形成すると共に、指環部を分離した柄部における指環連結部位に球状連結部を設けると共に、前記連結部の適宜個所に穴部を穿設し、前記穴部に抵抗体を内置し、前記分離指環部の連結部位に前記連結部を包みこむ形状の球底凹部を形成して、抵抗体を圧するように連結部に球底凹部を被冠すると共に、球底凹部の開口側を窄め、分離指環部を前記抵抗体との摩擦抵抗に抗して可動するように装着してなることを特徴とするものである。
【００１２】
また本発明に係る理容鋏は、前記方法で製出されるもので、一方の指環部を、柄部に設けた球状連結部を覆うような球状関節構造で連結して任意角度に傾斜可能とした可動指環部に形成すると共に、球状連結部の表面に露出する抵抗体を内装して可動指環部の可動抵抗としてなることを特徴とするものである。
【００１３】
従って前記理容鋏は、分離指環部を球状関節構造で連結して可動指環部としたもので、前記の可動指環部は、相応の外力を加えるといずれの角度（連結面と直交する軸に対しての回動角度）及び傾斜（前記直交軸に対する傾斜）状態にも移行でき、抵抗体との摩擦抵抗によって当該移行した状態を維持するものであるから、毛髪に対する切断方向を選択するために、鋏に対する指の位置を変更することも可能となり、且つ前記の角度調整及び傾斜調整が容易である。
【発明の効果】
【００１４】
本発明の構成は上記のとおりで、可動指環部の柄部との連結に、可動時に適宜な摩擦抵抗を有すると球形関節構造としたものであるから、ネジ操作や枢結構造を採用することなく簡単な操作で可動指環部を所望状態（角度、傾斜）とすることができたものである。
【図面の簡単な説明】
【００１５】
【図１】本発明の実施形態の分解斜視図。
【図２】同全体斜視図。
【図３】同製造工程の説明図。
【図４】同可動指環部の動作説明図。
【発明を実施するための形態】
【００１６】
次に本発明の実施形態について説明する。実施形態を示した理容鋏は、基本的に従前の理容鋏と同様に、一対の刀体１，１ａをＸ状に交叉させ、両刀体を貫通する枢結ボルト及び締付ナットで交叉部を枢結（枢結部２）してなるもので、一方の刀体１の端部には、指環部（中指・薬指用）３を刀体１と一体に形成し、他方刀体１ａの端部は柄部４を刀体１ａと一体に形成し、他方刀体１ａが備えるべき指環部（親指用）は、可動指環部５としてなるものである。
【００１７】
可動指環部５の連結構造を、その製造手順に合わせて説明する。柄部４には、可動指環部５を装着すべき連結部位に球状連結部４１を設ける。前記球状連結部４１は、柄部４に溶接等で固定したものであり、特に前面（溶接個所の反対側）に適宜大きさ及び深さの穴部４２を穿設し、前記穴部４２に抵抗体（例えばゴム質抵抗部材で形成する）４３を僅かに突出するように装着する。尚穴部４２の大きさは、後述する可動指環部５の動作時の抵抗となる抵抗体４３の摩擦抵抗を加味して定められる。
【００１８】
分離形成する可動指環部（分離指環部５ａ）は、柄部４との連結個所に前記球状連結部４１を包みこむ形状の球底凹部５１を形成して、抵抗体４３を圧するように球状連結部４１に前記球底凹部５１を被冠すると共に、球底凹部５１の開口部５２にカシメを施して窄め（図３ロａ）、分離指環部５ａを球状連結部４１から外れずに、且つ球状連結部４１の表面に添って可動できるように装着して可動指環部５としたものである。
【００１９】
而して前記理容鋏は、分離指環部５ａを球状関節構造で連結して可動指環部５としたもので、前記の可動指環部５は、任意の回動角度（凹部の球底の中心軸を中心とした回動角度：図３ロ）及び傾斜角度（前記中心軸に対する傾斜角度：図４イ，ロ）に移行することができる。
【００２０】
前記の移行は、抵抗体４３と球底凹部内面との摩擦抵抗以上の外力を加えることで実現できるので、理容鋏使用者の好みによって、予め抵抗体４３の構造、材質、大きさ等を選定して、更に分離指環部５ａの装着時の押圧力で、任意に調整できる。
【００２１】
従って前記の理容鋏は、毛髪に対する切断方向を選択するために、鋏に対する指の位置を変更することも可能となり、且つ前記の角度調整及び傾斜調整が容易であり、前記の調整も、可動抵抗を大きく製造すると、鋏使用途中では変化せず、好みの角度に設定して一定状態での使用も可能であり、或いは可動抵抗を小さくし製造して、理容作業の途中において、指の力で可動指環部５の位置を変動させることもできる。
【００２２】
尚抵抗体４３は、可動指輪部５ａの移動時の抵抗となるものであれば任意のものを採用できるもので、例えば前記したゴム質材の他、樹脂材、金属発条単体、金属発条と他抵抗部材との組み合わせ等が考えられる。
【符号の説明】
【００２３】
１，１ａ      刀体
２            枢結部
３            指環部（中指・薬指用）
４            柄部
４１          球状連結部
４２          穴部
４３          抵抗体
５            可動指環部（親指用）
５ａ          分離指環部
５１          球底凹部
５２          開口部
【図１】
2012223405.tif 000003
【図２】
2012223405.tif 000004
【図３】
2012223405.tif 000005
【図４】
2012223405.tif 000006